(57)【特許請求の範囲】
【請求項１】
射出成形によって形成される、ピックアップ装置用のレンズであって、
表裏に第１レンズ面及び第２レンズ面が形成されたレンズ部と、
前記レンズ部の縁部からフランジ状に突出するフランジ部と、
を有し、
前記フランジ部の前記第１レンズ面側の面には、前記レンズの光軸に対して傾斜し且つ前記光軸に平行に入射した入射光を該光軸に対して一定の角度となる反射方向に反射するコバ反射斜面部が形成されており、
前記コバ反射斜面部は、前記レンズの光軸を中心とする円周上に設けられており、該円周上であって前記レンズのゲート痕に対する所定の位置には、前記光軸に平行に入射した入射光を前記反射方向に反射しないゲートマーク領域が形成されており、
前記フランジ部の前記第１レンズ面側の面には、前記レンズ面の光軸に垂直な平面であるコバ反射平面部が形成されている、
ピックアップ装置用のレンズ。
【請求項２】
射出成形によって形成される、ピックアップ装置用のレンズであって、
表裏に第１レンズ面及び第２レンズ面が形成されたレンズ部と、
前記レンズ部の縁部からフランジ状に突出するフランジ部と、
を有し、
前記フランジ部の前記第１レンズ面側の面には、前記レンズの光軸に対して傾斜し且つ前記光軸に平行に入射した入射光を該光軸に対して一定の角度となる反射方向に反射するコバ反射斜面部が形成されており、
前記コバ反射斜面部は、前記レンズの光軸を中心とする円周上に設けられており、該円周上であって前記レンズのゲート痕に対する所定の位置には、前記光軸に平行に入射した入射光を前記反射方向とは異なる方向に反射させるゲートマーク領域が形成されている、
ピックアップ装置用のレンズ。
【請求項３】
前記フランジ部には、前記レンズの光軸を中心とする円すい台面が形成されており、
前記ゲートマーク領域は、前記円すい台面の一部の半径方向全体に亙って形成されており、
前記円すい台面の前記ゲートマーク領域以外の部分に前記コバ反射斜面部が形成されている、
請求項１又は請求項２に記載のピックアップ装置用のレンズ。
【請求項４】
前記ゲートマーク領域は、前記レンズのゲート痕に近接した位置に形成されている、
請求項１から請求項３の何れか一項に記載のピックアップ装置用のレンズ。
【請求項５】
前記ゲートマーク領域は、該ゲートマーク領域に入射する光を実質的に反射しない非反射部である、
請求項１を引用する請求項３又は請求項４に記載のピックアップ装置用のレンズ。
【請求項６】
射出成形によって形成される、ピックアップ装置用のレンズであって、
表裏に第１レンズ面及び第２レンズ面が形成されたレンズ部と、
前記レンズ部の縁部からフランジ状に突出するフランジ部と、
を有し、
前記フランジ部の前記第１レンズ面側の面には、前記レンズの光軸に対して傾斜し且つ前記光軸に平行に入射した入射光を該光軸に対して一定の角度となる反射方向に反射するコバ反射斜面部が形成されており、
前記コバ反射斜面部は、前記レンズの光軸を中心とする円周上に設けられており、該円周上であって前記レンズのゲート痕に対する所定の位置（ゲート痕に近接した位置を除く）には、前記光軸に平行に入射した入射光を前記反射方向に反射しないゲートマーク領域が形成されている、
ピックアップ装置用のレンズ。
【請求項７】
射出成形によって形成される、ピックアップ装置用のレンズであって、
表裏に第１レンズ面及び第２レンズ面が形成されたレンズ部と、
前記レンズ部の縁部からフランジ状に突出するフランジ部と、
を有し、
前記フランジ部の前記第１レンズ面側の面には、前記レンズの光軸に対して傾斜し且つ前記光軸に平行に入射した入射光を該光軸に対して一定の角度となる反射方向に反射するコバ反射斜面部が形成されており、
前記コバ反射斜面部は、前記レンズの光軸を中心とする円周上に設けられており、該円周上であって前記レンズのゲート痕に対する所定の位置には、前記光軸に平行に入射した入射光を前記反射方向に反射しないゲートマーク領域が形成されており、
前記コバ反射斜面部は、前記コバ反射斜面部が設けられた円周に沿って複数形成されて
いる平面状の斜面であり、
前記複数のコバ反射斜面部は、前記コバ反射斜面部が設けられた円周上において前記レンズのゲート痕に近接した位置から、該レンズの光軸を中心として所定角度ずつずれた位置に形成されており、
前記ゲートマーク領域は、前記レンズのゲート痕に近接した位置を含む、前記コバ反射斜面部が形成されていない位置に形成された、前記光軸に平行な入射光を前記反射方向以外の方向に反射する部分である、
ピックアップ装置用のレンズ。
【請求項８】
前記ゲートマーク領域は、前記レンズの光軸に垂直な平面部である、
請求項７に記載のピックアップ装置用のレンズ。
【請求項９】
前記コバ反射斜面部は、前記反射方向が前記光軸に向かう方向となる内向きの斜面である、
請求項１から請求項８の何れか一項に記載のピックアップ装置用のレンズ。
【請求項１０】
前記コバ反射斜面部は、前記反射方向が前記光軸から遠ざかる方向となる外向きの斜面である、
請求項１から請求項８の何れか一項に記載のピックアップ装置用のレンズ。
【請求項１１】
前記第１レンズ面は、前記ピックアップ装置によって情報の読み取り若しくは記録が行われる光ディスク側に位置するレンズ面である、
請求項１から請求項１０の何れか一項に記載のピックアップ装置用のレンズ。
【請求項１２】
請求項１から請求項１１の何れか一項に記載のレンズの第１レンズ面側に平行光を入射させ、
前記レンズのフランジ部の第１レンズ面側の面で反射した反射光を結像レンズに入射させ、該反射光による像を該結像レンズの結像位置に配置された撮像手段によって撮像し、
前記撮像手段によって撮像された、前記レンズのフランジ部の第１レンズ面側の面で反射した反射光による像をモニタのスクリーン上に表示させる、
レンズの検査方法。
【発明の詳細な説明】
【技術分野】
【０００１】
本発明は、ピックアップ装置用のレンズ及び該レンズの検査方法に関する。
【背景技術】
【０００２】
光ディスクから情報を読み取る、或いは光ディスクに情報を記録する為に、ピックアップ装置が使用される。ピックアップ装置は、光ディスクで読み取り或いは書き込み用の光線を集光させる為のレンズを有している。
【０００３】
一般に、レンズはピックアップ装置のホルダに接着剤によって固定されるようになっている。レンズをピックアップ装置のホルダに固定するにあたっては、レンズの光軸が、レンズに対して光源側に位置する光学部材の光軸と一致するよう、正確に位置決めされる必要がある。ホルダに対するレンズの位置決めを行う為には、レンズの傾きを検出する必要がある。レンズの傾きを検出するためには、例えば特許文献１に記載の検出装置を用いる。
【０００４】
特許文献１に記載の検出装置は、レンズに形成されたコバ反射面を使用する。コバ反射面は、レンズのレンズ面の周囲に設けられたフランジ部の一面に形成された、レンズの光軸に垂直な平面部である。レンズの傾きを検出する検出装置は、レンズが正確に位置決めされたときのレンズ光軸に平行な光をレンズのコバ反射面で反射させ、戻り光を結像レンズに入射させるようになっている。また、結像レンズの焦点位置には撮像カメラが配置されている。結像レンズ及び撮像カメラは、レンズが正確に位置決めされたときに、撮像カメラによって撮像された画像中の特定の位置に結像レンズからの光によるスポットが表示されるように位置決めされている。そのため、レンズが本来取り付けられるべき位置から傾いている場合は、傾きの方向及び程度に応じて、上記特定の位置からずれた位置にスポットが表示されることになる。従って、撮像カメラによって撮像された画像中のスポットの位置から、レンズの傾きの方向及び程度を検出することができる。
【先行技術文献】
【特許文献】
【０００５】
【特許文献１】特許第３３９３０３９号公報
【発明の概要】
【発明が解決しようとする課題】
【０００６】
ピックアップ装置に用いられるレンズは、一般に射出成形によって成形される樹脂成形品である。すなわち、レンズは成形時にはスプルー及びゲートと一体となったレンズ成形品として提供されており、後工程でゲートを切断してレンズをレンズ成形体から切り離している。このため、レンズには、ゲートの一部が残されるか、或いはゲートを完全に除去するためにレンズの一部が切削された状態となっている。一般に、ゲートはレンズのフランジ部の円筒面に形成されるようになっているため、レンズのフランジ部の円筒面には、上記のゲートの一部や切削部のようなゲート痕が形成されることになる。
【０００７】
ピックアップ装置用のレンズは射出成形によって成形されるものであるため、成形時の樹脂の流動方向に基づく屈折率の偏りや指向性が発生する可能性がある。そのため、上記の屈折率の偏りや指向性の影響を極力小さくできるよう、ゲート痕が所定の方向を向くようレンズをホルダに対して位置決めすることが望まれる。例えば、樹脂成形によって成形されたレンズには非点収差が発生する可能性があり、情報の読み取り等における該非点収差の影響を極力小さなものとするためには、ゲート痕が光ディスクの半径方向と接線方向の中間（すなわちゲート痕が半径方向から約４５°傾いた位置に配置）に位置するよう、レンズをピックアップ装置のホルダに位置決めすることが望ましい。
【０００８】
また、これらのレンズは成型時の際にコマ収差が発生残留する。このコマ収差は、レンズのゲート痕が所定の方向を向くように計測装置にセットした上で計測される。すなわち、計測されたコマ収差の方向は、レンズの光軸からゲート痕に向かう方向を基準としたもの（すなわち、上記光軸からゲート痕に向かう方向に対する相対角度として、コマ収差の方向が定義される）である。コマ収差は、別途ピックアップ装置に付随するアクチュエータ傾き調整機構等により補償されるようになっている。そして、上記コマ収差を補償する為には、ホルダ上におけるコマ収差の方向が既知である必要があり、そのために、レンズは、ゲート方位を基準とした所定の方位に向け取り付けられる。このように、コマ収差を補償する為にも、ゲートが所定の方向を向くようにレンズがホルダに取り付けられるようにすることが望まれる。
【０００９】
本発明は上記の課題に鑑み、レンズの光軸を原点とするレンズのゲート痕の方向を検出し、ピックアップ装置のホルダの望ましい位置にゲート痕を位置決め可能なピックアップ装置用のレンズ及びレンズのホルダに対する位置決めを行うためのレンズの検査方法を提供することを目的とする。
【課題を解決するための手段】
【００１０】
上記の目的を達成するため、本発明のピックアップ装置用のレンズは、フランジ部の第１レンズ面側の面には、レンズの光軸に対して傾斜し且つ光軸に平行に入射した入射光を光軸に対して一定の角度となる反射方向に反射するコバ反射斜面部が形成されており、コバ反射斜面部は、レンズの光軸を中心とする円周上に設けられており、該円周上の円周方向のレンズのゲート痕に対する所定の位置には、光軸に平行に入射した入射光を上記反射方向に反射させないゲートマーク領域が形成されている。
【００１１】
上記の構成のレンズの第１レンズ面側に平行光を入射させ、該レンズのフランジ部の第１レンズ面側の面で反射した反射光を結像レンズに入射させ、該反射光による像を該結像レンズの結像位置に配置された撮像手段によって撮像し、該撮像手段によって撮像されたレンズのフランジ部の第１レンズ面側の面で反射した反射光による像をモニタのスクリーン上に表示させると、コバ反射斜面部で反射した光は、所定の形状の像（光点、光輪など）となる。また、ゲートマーク領域（例えば、光を反射させないようにした面やコバ反射斜面部とは異なる方向に光を反射させる面）は、コバ反射斜面部で反射した光による像に、特徴的な形状部（例えば、光輪中に形成された切欠）を加える。そして、この特徴的な形状部の位置は、ゲートマーク領域のゲート痕に対する位置によって決まるものである。また、ゲートマーク領域はレンズのゲート痕に対する所定の位置に形成されている（すなわち、ゲートマーク領域のゲート痕に対する位置は既知である）。そのため、上記特徴的な形状部の位置から、ゲート痕の光軸に対する方向すなわちレンズの光軸周りの回転角度を判別することができる。
【００１２】
また、フランジ部の第１レンズ面側の面には、レンズ面の光軸に垂直な平面であるコバ反射平面部が形成されている構成としてもよい。
【００１３】
このような構成のレンズの第１レンズ面側に平行光を入射させ、該レンズのフランジ部の第１レンズ面側の面で反射した反射光を結像レンズに入射させ、該反射光による像を該結像レンズの結像位置に配置された撮像手段によって撮像し、該撮像手段によって撮像されたレンズのフランジ部の第１レンズ面側の面で反射した反射光による像をモニタのスクリーン上に表示させると、コバ反射平面部に入射した光は、モニタのスクリーン上では、光点として示される。そして、コバ反射斜面部に入射した光による像の、上記光点に対する相対位置から、ゲート痕の光軸に対する方向を判別することができる。
【００１４】
また、フランジ部には、レンズの光軸を中心とする円すい台面が形成されており、ゲートマーク領域は、円すい面の一部の半径方向全体に亙って形成されており、円すい台面のゲートマーク領域以外の部分にコバ反射斜面部が形成されている構成としてもよい。
【００１５】
このような構成とすると、コバ反射斜面部に入射した光によるモニタのスクリーン上の像は、ゲートマーク領域に相当する部分に特徴的な形状（切欠等）が現れる円環状の像となる。従って、コバ反射平面部で反射した光による光点と、コバ反射斜面部で反射した光による像との相対位置から、レンズの光軸に対してゲートマーク領域がどの方向に位置するのか、それによって、ゲート痕の光軸に対する方向すなわちレンズの光軸周りの回転角度を判別可能となる。
【００１６】
特に、ゲートマーク領域がレンズのゲート痕に近接した位置に形成されている構成とすると、コバ反射平面部で反射した光による光点と、コバ反射斜面部で反射した光による像における特徴的な形状の部分との相対位置が、ゲート痕の光軸に対する位置、方向を示すことになる。
【００１７】
また、ゲートマーク領域は、例えば、該ゲートマーク領域に入射する光を実質的に反射しない非反射部である。
【００１８】
また、コバ反射斜面部が、コバ反射斜面部が設けられた円周に沿って複数形成されている平面状の斜面である構成としてもよい。
【００１９】
このような構成とすると、複数のコバ反射斜面部で反射した光は、モニタのスクリーン上では、夫々、コバ反射平面部で反射した光による光点を中心とする円周上の異なる位置に表示される光点となる。そして、コバ反射平面部で反射した光による光点と、コバ反射斜面部で反射した光による複数の光点との相対位置から、ゲート痕の光軸に対する位置すなわちレンズの光軸周りの回転角度を判別することができる。
【００２０】
ここで、複数のコバ反射斜面部は、コバ反射斜面部が設けられた円周上においてレンズのゲート痕に近接した位置から、該レンズの光軸を中心として所定角度ずつずれた位置に形成されており、ゲートマーク領域は、レンズのゲート痕に近接した位置を含む、コバ反射斜面部が形成されていない位置に形成された、光軸に平行な入射光を上記反射方向以外の方向に反射する部分である構成とすることが好ましい。
【００２１】
このような構成とすると、モニタのスクリーン上では、コバ反射斜面部で反射した光による複数の光点は、コバ反射平面部で反射した光による光点を中心とする正多角形の頂点上に位置することになり、また、上記正多角形の頂点のうちの光点が表示されない頂点の、コバ反射平面部で反射した光による光点に対する方向が、レンズのゲート痕の位置、方向を示すことになる。
【００２２】
また、ゲートマーク領域は、例えばレンズの光軸に垂直な平面部である。
【００２３】
また、コバ反射斜面部は、反射方向が光軸に向かう方向となる内向きの斜面である構成とすることが好ましい。本構成においては、コバ反射斜面部による像はコバ反射斜面部の正像となるため、レンズの位置調整を行いやすい。
【００２４】
或いは、コバ反射斜面部が、反射方向が光軸から遠ざかる方向となる外向きの斜面である構成としてもよい。
【００２５】
また、第１レンズ面は、ピックアップ装置によって情報の読み取り若しくは記録が行われる光ディスク側に位置するレンズ面である。
【００２６】
また、本発明のレンズの検査方法は、上記いずれかのレンズの第１レンズ面側に平行光を入射させ、レンズのフランジ部の第１レンズ面側の面で反射した反射光を結像レンズに入射させ、該反射光による像を該結像レンズの結像位置に配置された撮像手段によって撮像し、撮像手段によって撮像された、レンズのフランジ部の第１レンズ面側の面で反射した反射光による像をモニタのスクリーン上に表示させることを特徴とする。
【発明の効果】
【００２７】
以上のように、本発明によれば、光軸を原点とするレンズのゲート痕の方向を検出し、ピックアップ装置のホルダの望ましい位置にゲート痕を位置決め可能なピックアップ装置用のレンズ及びレンズのホルダに対する位置決め方法が実現される。
【図面の簡単な説明】
【００２８】
【図１】図１は、本発明の第１の実施の形態のレンズの上面図である。
【図２】図２は、図１のＡ−Ａ断面図である。
【図３】図３は、本発明の第１の実施の形態のレンズ固定装置のブロック図である。
【図４】図４は、本発明の第１の実施の形態の、レンズ固定装置のモニタのスクリーンの表示内容の一例を示したものである。
【図５】図５は、本発明の第２の実施の形態のレンズの上面図である。
【図６】図６は、本発明の第２の実施の形態の、レンズ固定装置のモニタのスクリーンの表示内容の一例を示したものである。
【発明を実施するための形態】
【００２９】
以下、本発明の実施の形態について図面を用いて詳細に説明する。図１は、本発明の第１の実施の形態のレンズの上面図であり、図２は、図１のＡ−Ａ断面図である。レンズ１は、図２に示されるように、表裏両面の夫々に第１レンズ面１１と第２レンズ面１２とが形成されたレンズ部１０と、レンズ部１０の外縁にフランジ状に形成されたフランジ部２０とを有する。なお、本実施形態のレンズはピックアップ装置に取り付けられるものであり、第１レンズ面１１はピックアップ装置によって情報の読み取り若しくは記録が行われる光ディスク側のレンズ面であり、第２レンズ面１２は光源側の面である。
【００３０】
フランジ部２０の、第１レンズ面１１側の面には、レンズ１の光軸ａｘ１を中心とする同心の環状の面２１、２２及び２３が形成されている。最も内側の面２１は、光軸ａｘ１に垂直な平面（コバ反射平面部）である。コバ反射平面部２１は、入射した光を高い反射率で反射させるようになっている。
【００３１】
また、コバ反射平面部２１に隣接する面２２は、光軸ａｘ１上における第２レンズ面１２側の任意の点を頂点とする円すい面の一部をなす円すい台面（コバ反射斜面部）である。このようなコバ反射斜面部２２に、光軸ａｘ１に平行な入射光を入射させると、入射光がコバ反射斜面部２２上で反射した後の反射光は、光軸ａｘ１上の一点に向かう。すなわち、上記反射光の、光軸ａｘ１に対する角度は、コバ反射斜面部２２上のどの位置に入射光が入射したとしても、一定の大きさとなる。また、最も外側の面２３は、光軸ａｘ１に略垂直な平面（外縁平面部）である。
【００３２】
本実施形態のレンズ１は、射出成形によって形成されたものである。スプルーにゲートを介してレンズが接続された形状のレンズ成形品が成形された後、ゲートを切断することによってレンズ１は、レンズ成形品から切り離される。そのため、図１及び２に示されるように、フランジ部２０の外周円筒面２４の一部分には、ゲートの一部がゲート痕３１として残されている。
【００３３】
また、図１及び図２に示されるように、ゲート痕３１に近接するフランジ部２０には、コバ反射平面部２１から外縁平面部２３にかけて、非反射部Ｋが形成されている。非反射部Ｋは、コバ反射平面部２１、コバ反射斜面部２２及び外縁平面部２３を塗料などで黒く塗りつぶした領域であり、入射した光をほとんど反射させないようになっている。或いは、反射する光の量が十分に小さいものとなるような粗面を非反射部Ｋに形成する構成としてもよい。
【００３４】
以上説明した本実施形態のレンズの位置合わせを行うための検査方法について以下に説明する。図３は、レンズ１をピックアップ装置のホルダ５０に固定させる、レンズ固定装置の概要を示したブロック図である。
【００３５】
図３に示されるように、レンズ固定装置１００は、ホルダ５０を保持するホルダ保持部１１０と、ホルダ５０に対するレンズ１の光軸の傾き及びレンズ１の光軸周りの回転角度を検出する検出部１２０と、ホルダ５０上でレンズ１を移動させる移動部１３０と、ホルダ５０とレンズ１との間隙に接着剤を供給してレンズ１をホルダ５０に固定させる接着部１４０と、検出部１２０、移動部１３０及び接着部１４０を操作するための操作用コンピュータシステム１５０とを有する。
【００３６】
検出部１２０は、平行光を生成する光源ユニット１２１と、ハーフミラー１２２と、結像レンズ１２３と、撮像カメラ１２４とを有する。
【００３７】
光源部１２１から生成された平行光は、ハーフミラー１２２に入射する。なお、上記ハーフミラー１２２に入射するまでの平行光を、第１の光Ｐ１と定義する。ハーフミラー１２２は、入射した第１の光Ｐ１をレンズ１に向かう方向に９０°屈曲させる。上記ハーフミラー１２２で屈曲してレンズ１に向かう光を第２の光Ｐ１１と定義する。なお、第２の光Ｐ１１の進行方向Ｄは、レンズ１がホルダ５０に正しく取り付けられた時のレンズ１の光軸ａｘ１（図１、２）と平行である。
【００３８】
第２の光Ｐ１１は、レンズ１のコバ反射平面部２１及びコバ反射斜面部２２で反射する。上記レンズ１にて反射した光を第３の光Ｐ２１と定義する。第３の光Ｐ２１は、ハーフミラー１２２を透過する。上記ハーフミラー１２２を通過した後の光を第４の光Ｐ２と定義する。第４の光Ｐ２は、結像レンズ１２３にて集光されて撮像カメラ１２４に入射する。ここで、結像レンズ１２３は、その光軸ａｘｉに平行な平行光が撮像カメラ１２４の撮像面で集光されるように、撮像カメラ１２４に対して位置決めされている。
【００３９】
操作用コンピュータシステム１５０は、コンピュータ本体１５１と、モニタ１５２と、キーボードやマウスなどの操作部１５３とを有する。撮像カメラ１２４の画像出力端子は、操作用コンピュータシステム１５０のコンピュータ本体１５１に接続されている。
【００４０】
コンピュータ本体１５１は、撮像カメラ１２４から送信された映像信号を処理して、撮像カメラ１２４が撮像した画像をモニタ１５２のスクリーン１５２ａに表示する。レンズ１のコバ反射平面部２１で反射した光は、スクリーン１５２ａ上では、暗視野上の光点Ｓ１１として表示される。また、コンピュータ本体１５１は、傾き検出用のマークＭをスクリーン１５２ａ上に表示させている。レンズ１の光軸の傾きは、マークＭと光点Ｓ１１との位置ずれとして現れる。
【００４１】
また、コンピュータ本体１５１は、移動部１３０を制御可能となっており、操作部１５３を操作して、マークＭに光点Ｓ１１が重なるように移動部１３０によってレンズ１を傾けることによって、レンズ１の光軸が正しい位置となるよう調整可能である。
【００４２】
また、レンズ１のコバ反射斜面部２２で反射した光は、スクリーン上では光点Ｓ１１の周囲に現れる光輪Ｓ１２として表示される。スクリーン１５２ａの表示内容の一例を図４に示す。なお、図４においては、図３のマークＭは省略されている。
【００４３】
図４に示されるように、光輪Ｓ１２は、光点Ｓ１１を中心とする円環であり、その一部に切欠Ｎが設けられている。この切欠Ｎは、レンズ１の非反射部Ｋ（図１、図２）に対応したものである。すなわち、切欠Ｎから、レンズ１の光軸ａｘ１（図１、図２）からの非反射部Ｋの向き、換言すれば、光軸ａｘ１に対するゲート痕３１の方向を判別可能である。つまり、反射部Ｋは、いわゆるゲートマーク領域として機能する。そして、操作部１５３を操作して、切欠Ｎが光点Ｓ１１に対して所定の方向（例えば図中上方）を向くように移動部１３０によってレンズ１を光軸周りに回転させることによって、レンズ１のゲート痕３１が正しい方向を向くよう調整可能である。
【００４４】
なお、光輪Ｓ１２の輝度やスクリーン１５２ａ上での大きさを適切なものとするためには、光軸ａｘ１に垂直な平面に対するコバ反射斜面部２２の傾きを３〜１０分、好ましくは約５分とする。また、外縁平面部２３は、コバ反射平面部２１と同様光軸ａｘ１に垂直な平面として外縁平面部２３での反射光による像が光点Ｓ１１となるようにするか、或いは、外縁平面部２３を相対的に反射率が劣る粗い面として外縁平面部２３による像を光点Ｓ１１及び光輪Ｓ１２よりも十分に暗く表示させる構成とする。
【００４５】
コンピュータ本体１５１は、接着部１４０を制御可能となっており、上記の操作によってレンズ１をホルダ５０に対して位置決めした後、操作部１５３を操作して、位置決めされたレンズ１をホルダ５０に接着固定することができる。
【００４６】
以上のように本実施形態によれば、フランジ部２０に性状の異なる複数の面を形成することにより、レンズ１の傾きの方向及び、光軸周りの回転角度を正しく位置決めした上で、レンズ１をホルダ５０に固定させることができる。
【００４７】
なお、本実施形態においては、レンズ１の非反射部Ｋ（図１、図２）は、レンズ１のコバ反射平面部２１から外縁平面部２３に亙って形成されているが、レンズ１の光軸周りの位置決めを行うためには、少なくともコバ反射斜面部２２の一部のみに非反射部Ｋが形成されていればよい。また、非反射部Ｋは、本実施形態においては、コバ反射斜面部２２の一部を黒塗りすることによって形成されているが、非反射部Ｋを光を乱反射させる粗面として形成する構成としてもよく、或いは、非反射部Ｋを、光軸ａｘ１に垂直な平面部として形成する構成としてもよい。
【００４８】
また、非反射部Ｋは、ゲート痕３１に近接した位置である必要は必ずしも無く、非反射部Ｋとゲート痕３１との位置関係が明確（例えば、非反射部Ｋとゲート痕３１とが、光軸ａｘ１を中心として１８０°、９０°、４５°等の位置関係にある等）であれば、他の位置であってもかまわない。また、コバ反射斜面部２２は、光軸ａｘ１からコバ反射斜面部２２までの距離δ１（図２）が大きくなるに従って第２レンズ面１２上の一点、例えば第２レンズ面１２と光軸ａｘ１とが交差する点σ１（図２）からの光軸ａｘ１に沿った方向の距離δ２（第２レンズ面１２上の一点を通過する光軸ａｘ１に垂直な面Πとコバ反射斜面部２２との距離）が大きくなるような内向きの傾斜面である。換言すれば、コバ反射斜面部２２は、光軸ａｘ１に平行な入射光を光軸に向かう方向に反射させるような傾斜面である。しかしながら、本発明は上記の構成に限定されるものではなく、光軸ａｘ１からコバ反射斜面部２２までの距離が小さくなるに従って第２レンズ面１２上の一点からの光軸ａｘ１に沿った方向の距離が大きくなるような外向きの傾斜面（例えば、光軸ａｘ１上における第１レンズ面側の任意の点を頂点とする円すい面の一部をなす円すい台面）、すなわち、光軸ａｘ１に平行な入射光を光軸から遠ざかる方向に反射させるような傾斜面であってもよい。ただし、コバ反射斜面部２２を外向きの傾斜面とする場合、スクリーン１５２ａに移る光輪Ｓ１２が、コバ反射斜面部２２を１８０°回転させた像となり、移動部１３０によってレンズ１を回転させたときの、レンズ１の回転方向と、光輪Ｓ１２の回転方向が逆となる。従って、操作用コンピュータシステム１５０の設定を適宜変更、調整しておけばよい。
【００４９】
以上説明した本発明の第１の実施形態においては、ゲート痕３１の位置を検出するためのコバ反射斜面部２２が、ゲート痕３１近傍を除くレンズ１の円周方向全周に亙って形成されている。しかしながら、本発明は上記の構成に限定されるものではなく、以下に説明する本発明の第２の実施形態のように、コバ反射斜面部がレンズ１の一部のみに形成された構成としてもよい。
【００５０】
図５は、本発明の第２の実施形態のレンズを、第１レンズ面側からみた上面図である。本実施形態のレンズ２０１は、第１の実施形態と同様、レンズ部２１０と、レンズ部２１０の外縁にフランジ状に形成されたフランジ部２２０とを有する。
【００５１】
フランジ部２２０の、第１レンズ面２１１側の面は、内周側の（すなわち第１レンズ面２１１と隣接する）コバ反射平面部２２１と、外周側の外縁平面部２２３に分かれている。コバ反射平面部２２１は、第１の実施形態と同様、レンズ２０１の光軸ａｘ２に垂直な平面状に形成されたものであり、コバ反射平面部２２１に入射した光を高い反射率で反射させるようになっている。
【００５２】
外縁平面部２２３は、レンズ２０１の光軸ａｘ２にほぼ垂直な平面状に形成されている。また、図５に示されるように、外縁平面部２２３の、フランジ部２２０の外周円筒面２２４の一部分に形成されたゲート痕２３１に対して光軸ａｘ２を中心として時計回りに９０°、１８０°及び２７０°の角度の位置には、夫々コバ反射斜面部２２２ａ、２２２ｂ、２２２ｃが形成されている。なお、各コバ反射斜面部２２２ａ、２２２ｂ、２２２ｃは、光軸ａｘ２を中心とする円周上に形成されている。
【００５３】
コバ反射斜面部２２２ａ、２２２ｂ、２２２ｃは夫々、光軸ａｘ２から離れるに従って、レンズ部２１０の第２レンズ面（第１レンズ面の裏側に形成されたレンズ面）上の一点からの光軸ａｘ２方向の距離が大きくなるような（すなわち、光軸ａｘ２から離れるに従って、上記一点を通過する光軸ａｘ２に垂直な面との間隔が大きくなるような）、傾斜した平面である。また、コバ反射斜面部２２２ａ、２２２ｂ、２２２ｃの、光軸ａｘ２に対する傾斜角度は等しい。このため、コバ反射斜面部２２２ａ、２２２ｂ、２２２ｃの夫々に、光軸ａｘ２に平行な入射光を入射させた場合、コバ反射斜面部２２２ａ、２２２ｂ、２２２ｃの夫々で反射した反射光の、光軸ａｘ２に対する角度は一定となる。
【００５４】
以上説明したレンズ２０１を、ピックアップ装置のホルダに固定するために、第１の実施形態で使用したレンズ固定装置１００（図３）が使用される。本実施形態のレンズ２０１及びホルダをレンズ固定装置１００に取り付けると、操作用コンピュータシステム１５０のモニタ１５２のスクリーン１５２ａ（図３）上には、図６に示されるような画像が表示される。
【００５５】
本実施形態においても、コバ反射平面部２２１（図５）で反射した光は、スクリーン１５２ａ（図３）上では光点Ｓ２１（図６）として表示される。光点Ｓ２１は、第１の実施形態における光点Ｓ１１（図４）と同様、レンズ２０１の光軸ａｘ２の傾きを検出するために使用される。すなわち、光軸ａｘ２が傾いていない場合は、光点Ｓ２１は所定位置（すなわち図３におけるマークＭが表示された位置）に表示され、一方、光軸ａｘ２が傾いていれば、その傾きの方向及び程度に応じて、上記所定位置から離れた位置に光点Ｓ２１が表示される。
【００５６】
また、コバ反射斜面部２２２ａ、２２２ｂ及び２２２ｃ（図５）で反射した光は、スクリーン１５２ａ（図３）上では、夫々光点Ｓ２２ａ、Ｓ２２ｂ及びＳ２２ｃとして表示される。図６に示されるように、光点Ｓ２２ａ、Ｓ２２ｂ及びＳ２２ｃは、コバ反射斜面部２２２ａ、２２２ｂ、２２２ｃの並び順と同じ方向、すなわち、光点Ｓ２１を中心とする円周上に時計回りに９０°おきに配列される。そして、光点Ｓ２２ａ、Ｓ２２ｂ及びＳ２２ｃを頂点とする仮想の正方形Ｑにおいて、光点が表示されていない頂点Ｔｇは、ゲート痕２３１（図５）の向きを示すために使用される。すなわち、光点Ｓ２１から頂点Ｔｇに向かう方向は、レンズ２０１の光軸ａｘ２（図５）からゲート痕２３１に向かう方向に等しい。
【００５７】
このように、本実施形態においても、第１の実施形態と同様、レンズ２０１の光軸ａｘ２の傾きや、光軸ａｘ２周りのゲート痕２３１の位置を検出可能であり、この検出結果に基づいて、レンズ２０１の傾き方向及び、光軸周りの回転角度を正しく位置決めした上で、レンズ２０１をピックアップ装置のホルダに固定させることができる。
【００５８】
ここで、外縁平面部２２３は、コバ反射平面部２２１と同様光軸ａｘ２に垂直な平面とする。すなわち、光軸ａｘ２に平行な入射光を外縁平面部２２３に入射させた時の反射光の方向（すなわち反射光の光軸ａｘ２に対する角度）が、同方向の入射光をコバ反射斜面部２２２ａ、２２２ｂ及び２２２ｃに入射させた時の反射光の方向とは異なるようにする。この場合は、外縁平面部２２３での反射光による像が光点Ｓ２１となる。
【００５９】
或いは、外縁平面部２２３を相対的に反射率が劣る粗い面として外縁平面部２２３による像を光点Ｓ２１、Ｓ２２ａ、Ｓ２２ｂ及びＳ２２ｃよりも十分に暗く表示させる構成とする。
【００６０】
なお、第１の実施形態と同様、光点Ｓ２２ａ、Ｓ２２ｂ及びＳ２２ｃの輝度やスクリーン１５２ａ上での位置（光点Ｓ２１からの距離）を適切なものとするためには、光軸ａｘ２に垂直な平面に対するコバ反射斜面部２２２ａ、２２２ｂ及び２２２ｃの傾きを３〜１０分、好ましくは約５分とする。
【００６１】
コバ反射斜面部２２２ａ、２２２ｂ及び２２２ｃは、そのコバ反射斜面部による光点からゲート痕２３１の位置を検出可能な他の位置に配置されていてもよく、また、その数も適宜設定可能である。例えば、ゲート痕２３１近傍のみにコバ反射斜面部を形成する構成としてもよい。また、コバ反射斜面部２２２ａ、２２２ｂ及び２２２ｃは、光軸ａｘ２からの距離が大きくなるに従ってレンズ２０１の第２レンズ面上の一点からの光軸ａｘ２方向の距離（上記一点を通過する光軸ａｘ２に垂直な面との間隔）が大きくなるような、内向きの傾斜面であるが、本発明は上記の構成に限定されるものではなく、光軸ａｘ２からの距離が小さくなるに従って第２レンズ面上の一点からの距離が大きくなるような外向きの傾斜面であってもよい。ただし、コバ反射斜面部２２２ａ、２２２ｂ及び２２２ｃを外向きの傾斜面とすると、スクリーン１５２ａ（図３）に移る光点Ｓ２２ａ、２２ｂ、２２ｃが、対応するコバ反射斜面部を１８０°回転させた像となり、レンズ固定装置１００の移動部１３０（図３）によってレンズ１を回転させたときの、レンズ１の回転方向と、光輪Ｓ１２の回転方向が逆となる。従って、操作用コンピュータシステム１５０の設定を適宜変更、調整しておけばよい。
【符号の説明】
【００６２】
１                        レンズ
２１                        コバ反射平面部
２２                        コバ反射斜面部
３１                        ゲート痕
１００                        レンズ固定装置
１２０                        検出部
２０１                        レンズ
２２１                        コバ反射平面部
２２２ａ、２２２ｂ、２２２ｃ  コバ反射斜面部
２３１                        ゲート痕
【図１】
0005476201.tif 000002
【図２】
0005476201.tif 000003
【図３】
0005476201.tif 000004
【図４】
0005476201.tif 000005
【図５】
0005476201.tif 000006
【図６】
0005476201.tif 000007